(57)【要約】【課題】携帯通信機器において、ＴＶ放送を受信している場合に、無線信号の送信による影響を除去するためのフィルタがＴＶ放送の信号に対しても影響を与えてしまうのを極力抑える。【解決手段】携帯電話機１００に、ＴＶ放送受信アンテナ１３１とワンセグ用ＴＶチューナ１３４の間にフィルタ１３０を設け、受信した放送信号をフィルタ１３０を経由させてワンセグ用ＴＶチューナ１３４に供給する経路と、受信した放送信号をフィルタ１３０を経由させずにワンセグ用ＴＶチューナ１３４に供給する経路とを切り替えるスイッチ１３２、１３３を設ける。そして制御部１７０は、通信部１１０に無線信号の送信の実行を指示する際に、スイッチをフィルタ１３０に接続する側に切り替え、ＴＶ放送の受信信号をフィルタ１３０を経由させてワンセグ用ＴＶチューナに供給させる。【選択図】図１
2008252658.tif 000002
【特許請求の範囲】
【請求項１】
放送信号を受信することが可能な携帯通信機器であって、
放送信号が送信される周波数と異なる周波数を用いて無線信号を送信するための送信手段と、
前記送信手段が無線信号の送信に用いる周波数の信号を抑制するフィルタ手段と、
受信した放送信号から所望のチャネルの信号を抽出する選局手段と、
前記送信手段が無線信号を送信する場合には、受信された放送信号を前記フィルタ手段を経由させて前記選局手段に伝達し、前記送信手段が無線信号を送信していない場合に、受信された放送信号を前記フィルタ手段を経由させずに前記選局手段に伝達するように構成された伝達手段とを備える
ことを特徴とする携帯通信機器。
【請求項２】
放送信号を受信することが可能な携帯通信機器であって、
放送信号が送信される周波数と異なる周波数を用いて無線信号を送信するための送信手段と、
前記送信手段が無線信号の送信に用いる周波数の信号を抑制するフィルタ手段と、
受信した放送信号から所望のチャネルの信号を抽出する選局手段と、
前記送信手段が無線信号を送信し、且つ、所定の条件が満たされる場合には、受信された放送信号を前記フィルタ手段を経由させて前記選局手段に伝達し、前記送信手段が無線信号を送信していない場合に、受信された放送信号を前記フィルタ手段を経由させずに前記選局手段に伝達するように構成された伝達手段とを備える
ことを特徴とする携帯通信機器。
【請求項３】
前記所定の条件は、前記送信手段が無線信号を所定の閾値以上の電力レベルで送信することであり、
前記伝達手段は、
前記送信手段が、無線信号を所定の閾値以上の電力レベルで送信するときには、受信された放送信号を前記フィルタ手段を経由させて前記選局手段に伝達し、前記送信手段が無線信号を所定の閾値未満の電力レベルで送信するときには、受信された放送信号を前記フィルタ手段を経由させずに前記選局手段に伝達する
ことを特徴とする請求項２記載の携帯通信機器。
【請求項４】
前記所定の条件は、受信された放送信号の受信強度が所定の閾値未満であることであり、
前記伝達手段は、
受信された放送信号の受信強度が前記所定の閾値未満であるときには、受信された放送信号を前記フィルタ手段を経由させて前記選局手段に伝達し、受信した放送信号の受信強度が前記所定の閾値以上であるときには、受信された放送信号を前記フィルタ手段を経由させずに前記選局手段に伝達する
ことを特徴とする請求項２記載の携帯通信機器。
【請求項５】
前記所定の条件は、無線信号の送信に用いる送信周波数が所定の閾値未満であることであり、
前記携帯通信機器は、更に、
前記送信手段に、無線信号の送信に用いる前記送信周波数を指定する送信周波数指定手段を備え、
前記伝達手段は、前記送信周波数が前記所定の閾値未満である場合に、受信された放送信号を前記フィルタ手段を経由させて前記選局手段に伝達し、前記送信周波数が前記所定の閾値以上である場合に、受信された放送信号を前記フィルタ手段を経由させずに前記選局手段に伝達する
ことを特徴とする請求項２記載の携帯通信機器。
【請求項６】
前記所定の条件は、受信するチャネルの周波数が所定の閾値以上であることであり、
前記携帯通信機器は、更に、
受信するチャネルの受信周波数を指定する受信周波数指定手段とを備え、
前記伝達手段は、前記受信周波数が前記所定の閾値以上である場合に、受信された放送信号を前記フィルタ手段を経由させて前記選局手段に伝達し、前記受信周波数が前記所定の閾値未満である場合に、受信された放送信号を前記フィルタ手段を経由させずに前記選局手段に伝達する
ことを特徴とする請求項２又は５記載の携帯通信機器。
【請求項７】
前記伝達手段は、
受信された放送信号を前記フィルタ手段を経由させて前記選局手段に伝達する第1経路と、受信された放送信号を前記フィルタ手段を経由させない前記選局手段に伝達する第2経路とを切り替えるスイッチング回路を備える
ことを特徴とする請求項１〜６のいずれか1項に記載の携帯通信機器。
【請求項８】
放送信号を受信する機能と、受信された放送信号から所望のチャネルの信号を抽出する選局手段と、放送信号が送信されてくる周波数とは異なる周波数を用いて無線信号を送信する無線送信機能とを有する機器に具備される受信回路であって、
前記無線送信機能が無線信号を送信する際に用いる周波数の信号を抑制するフィルタ手段と、
前記送信手段が無線信号を送信する場合又は前記送信手段が無線信号を送信し、且つ、所定の条件が満たされる場合には、受信された放送信号を前記フィルタ手段を経由させて前記選局手段に伝達し、前記無線送信機能により前記機器が無線信号を送信していない場合に、受信された放送信号を前記フィルタ手段を経由させずに前記選局手段に伝達する伝達手段とを備える
ことを特徴とする受信回路。
【請求項９】
放送信号が送信されてくる周波数とは異なる周波数を用いて無線信号を送信する機能と、無線信号を送信する際に用いる周波数の信号を抑制するフィルタ手段と、受信された放送信号から所望のチャネルの放送信号を抽出する選局手段とを有する携帯通信機器のコンピュータに読み込ませて放送を受信する処理手順を示した放送受信プログラムであって、前記処理手順は、
前記送信手段が無線信号を送信する場合又は前記送信手段が無線信号を送信し、且つ、所定の条件が満たされる場合には、受信された放送信号を前記フィルタ手段を経由させて前記選局手段に伝達される第1経路と、無線信号を送信していない場合に、受信された放送信号を前記フィルタ手段を経由させずに前記選局手段に伝達される第2経路との接続を切り替えるスイッチング回路を制御する制御ステップを含む
ことを特徴とする放送受信プログラム。
【発明の詳細な説明】
【技術分野】
【０００１】
本発明は、放送波の放送信号、例えばＴＶ（テレビ）放送の放送信号を受信することが可能な携帯通信機器及びその受信回路に関し、特に自機から送信する無線信号の放送信号に対する影響を除去する技術に関する。
【背景技術】
【０００２】
近年、ＴＶ放送を受信する機能を有する携帯電話機が普及しつつある。携帯電話機では、ＴＶ放送の放送信号を受信している間にも、自機から無線信号を送信することがある。この無線信号は受信する放送信号に影響を与える妨害波となることがある。例えば、携帯電話機は基地局に対して位置登録を実行する。ユーザが携帯電話機でＴＶ放送を視聴しながら移動していた場合でも、携帯電話機は位置登録のために無線信号を送信する。すると当該無線信号が妨害波となりＴＶ放送の受信を妨げる。
【０００３】
そこで、図６に示すように、携帯電話機６００にアンテナ６３１とワンセグ用ＴＶチューナ６３４の間にフィルタ６３０を設ける。そして、ＴＶ放送の受信信号をＴＶチューナに伝達する前に、一度、フィルタ６３０にかけて、上述した妨害波を抑制する。ここで、「ワンセグ」とは、「携帯電話・移動体端末向けの1セグメント部分受信サービス」の略称のことである。
【０００４】
ところで、最近では、電話通信に用いる通信周波数と、地上デジタルテレビ放送の受信周波数とが非常に近づいてきている。図７には、地上デジタルテレビ放送に用いる周波数と、ＣＤＭＡ通信で通話に用いる周波数を模式的に示した。図７に示すように両者の周波数帯域は、ＣＤＭＡ通信の下限の中心周波数が８２４ＭＨｚ、地上デジタルテレビの放送に用いられる周波数の上限の中心周波数が７６５．２５ＭＨｚと近寄っており、基地局との通信に用いる信号が、ＴＶ放送の受信信号に対して影響を与えやすくなってきている。
【０００５】
そこで、上述したようにフィルタを介した受信信号をＴＶチューナに伝達することになるが、ＣＤＭＡ通信に用いる周波数の下限と地上デジタルテレビに用いる周波数の上限とが近寄ったことにより、今度は逆にこのフィルタのせいで、例えば、図８に示すように、ＴＶ放送の受信信号も減衰させてしまうという問題がある。図８において実線がフィルタを通過したＴＶ放送の受信信号を模式的に示したものであり、破線がフィルタを通さなかった場合、あるいは理想的なフィルタを通過させた場合のＴＶ放送の受信信号を模式的に示したものである。本来ならば破線の状態の信号を受信してＴＶ放送を復調したいところが、フィルタ６３０の影響により、減衰して実線の状態の信号を受信してしまったためにＴＶ放送を正確に復調できないことがある。
【０００６】
この問題に鑑みて、以下の特許文献１に示す技術を応用することが考えられる。特許文献１には、妨害波が受信周波数に影響を与える場合に、ＴＶ放送受信時に通過させるフィルタの周波数特性を変化させる技術が開示されており、この技術を用いて、フィルタが、受信するＴＶ放送の信号に対して影響を与える場合に、フィルタの周波数特性を変化させ、カットする周波数の下限を上げてやれば、妨害波を除去するためのフィルタがＴＶ放送の受信信号を減衰させてしまうことを防げる。
【特許文献１】特開２００６−１２８７５７号公報
【発明の開示】
【発明が解決しようとする課題】
【０００７】
しかし、上記特許文献１のようにフィルタの周波数特性を変化させるためには、周波数特性を変化させるための専用の機構を備える必要がある。
そこで、本発明においては、妨害波の影響を除去しつつも、フィルタの周波数特性を変えることなくなるべくＴＶ放送の受信信号をフィルタにより減衰させずにＴＶ放送を受信できる受信回路と携帯通信機器とを提供することを目的とする。
【課題を解決するための手段】
【０００８】
上記課題を解決するため、本発明に係る携帯通信機器は、放送信号を受信することが可能な携帯通信機器であって、放送信号が送信される周波数と異なる周波数を用いて無線信号を送信するための送信手段と、前記送信手段が無線信号の送信に用いる周波数の信号を抑制するフィルタ手段と、受信した放送信号から所望のチャネルの信号を抽出する選局手段と、前記送信手段が無線信号を送信する場合には、受信された放送信号を前記フィルタ手段を経由させて前記選局手段に伝達し、前記送信手段が無線信号を送信していない場合に、受信された放送信号を前記フィルタ手段を経由させずに前記選局手段に伝達するように構成された伝達手段とを備えることを特徴としている。
【０００９】
また、本発明に係る携帯通信機器は、放送信号を受信することが可能な携帯通信機器であって、放送信号が送信される周波数と異なる周波数を用いて無線信号を送信するための送信手段と、前記送信手段が無線信号の送信に用いる周波数の信号を抑制するフィルタ手段と、受信した放送信号から所望のチャネルの信号を抽出する選局手段と、前記送信手段が無線信号を送信し、且つ、所定の条件が満たされる場合には、受信された放送信号を前記フィルタ手段を経由させて前記選局手段に伝達し、前記送信手段が無線信号を送信していない場合に、受信された放送信号を前記フィルタ手段を経由させずに前記選局手段に伝達するように構成された伝達手段とを備えることを特徴としている。
【００１０】
本発明に係る受信回路は、放送信号を受信する機能と、受信された放送信号から所望のチャネルの信号を抽出する選局手段と、放送信号が送信されてくる周波数とは異なる周波数を用いて無線信号を送信する無線送信機能とを有する機器に具備される受信回路であって、前記無線送信機能が無線信号を送信する際に用いる周波数の信号を抑制するフィルタ手段と、前記送信手段が無線信号を送信する場合又は前記送信手段が無線信号を送信し、且つ、所定の条件が満たされる場合には、受信された放送信号を前記フィルタ手段を経由させて前記選局手段に伝達し、前記無線送信機能により前記機器が無線信号を送信していない場合に、受信された放送信号を前記フィルタ手段を経由させずに前記選局手段に伝達する伝達手段とを備えることを特徴としている。
【発明の効果】
【００１１】
上述のような構成によって、本発明に係る携帯通信機器は、無線信号の送信していないタイミングではフィルタ手段を経由させずに受信した放送信号を  チューナに伝達するので、フィルタ手段により減衰されていない受信信号を選局手段に伝達することができる。これにより、例えば、ＴＶ放送の所望のチャネルの番組を正しく復号することができる。
また、所定の条件を満たす場合、例えば無線信号の送信を所定の周波数以下で実行する場合などにおいては、フィルタ手段を経由させるので、無線信号の妨害波としての影響が大きい場合には、それを除去することができる。
【００１２】
また、前記所定の条件は、前記送信手段が無線信号を所定の閾値以上の電力レベルで送信することであり、前記伝達手段は、前記送信手段が、無線信号を所定の閾値以上の電力レベルで送信するときには、受信された放送信号を前記フィルタ手段を経由させて前記選局手段に伝達し、前記送信手段が無線信号を所定の閾値未満の電力レベルで送信するときには、受信された放送信号を前記フィルタ手段を経由させずに前記選局手段に伝達することとしてよい。
【００１３】
これにより、携帯通信機器は、所定の電力レベル以上で無線信号を送信する場合に、フィルタ手段を経由させた信号を選局手段に供給し、それ以外の場合では、フィルタ手段を経由させないので、受信した放送信号がフィルタ手段により減衰することが少なくなる。送信する無線信号が妨害波として作用するのは、出力レベルを高くして無線信号を送信する場合となるので、その場合にのみフィルタ手段を経由する構成とすることで、フィルタ手段の放送信号に対する影響を軽減することができ、かつ無線送信が影響を与える場合には、その影響を除去することができる。
【００１４】
また、前記所定の条件は、受信された放送信号の受信強度が所定の閾値未満であることであり、前記伝達手段は、受信されたの放送信号の受信強度が前記所定の閾値未満であるときには、受信された放送信号を前記フィルタ手段を経由させて前記選局手段に伝達し、受信した放送信号の受信強度が前記所定の閾値以上であるときには、受信された放送信号を前記フィルタ手段を経由させずに前記選局手段に伝達することとしてよい。
【００１５】
これにより、携帯通信機器は、受信している受信強度が一定の受信強度に満たない場合には、妨害波の影響を受けやすいので、フィルタ手段を通すことでその影響を除去でき、また、それ以外の場合においてはフィルタ手段を通さないので、フィルタ手段が、受信した放送信号を必要以上に減衰させて復号できなくなる事態を回避できる。
また、前記所定の条件は、無線信号の送信に用いる送信周波数が所定の閾値未満であることであり、前記携帯通信機器は、更に、前記送信手段に、無線信号の送信に用いる前記送信周波数を指定する送信周波数指定手段を備え、前記伝達手段は、前記送信周波数が前記所定の閾値未満である場合に、受信された放送信号を前記フィルタ手段を経由させて前記選局手段に伝達し、前記送信周波数が前記所定の閾値以上である場合に、受信された放送信号を前記フィルタ手段を経由させずに前記選局手段に伝達することとしてよい。
【００１６】
これにより、携帯通信機器は、無線信号の送信に用いる周波数が所定の周波数以下である場合に、受信した放送信号をフィルタ手段を経由させて選局手段に伝達することができる。無線信号の送信に用いる周波数が所定の周波数以下である場合とは即ち、無線信号の送信に用いる周波数が、放送の送信に放送局が用いる周波数に近いことを示す。このとき、送信する無線信号が放送信号に対する影響も与えやすい。そこで、本構成により、携帯通信機器は、無線信号の送信に用いる周波数が放送の受信周波数に近い場合に無線信号の影響をフィルタ手段で除去し、それ以外の場合についてはフィルタ手段を経由させないことで、受信信号の減衰を防ぐことができる。
【００１７】
また、前記所定の条件は、受信するチャネルの周波数が所定の閾値以上であることであり、前記携帯通信機器は、更に、受信するチャネルの受信周波数を指定する受信周波数指定手段とを備え、前記伝達手段は、前記受信周波数が前記所定の閾値以上である場合に、受信された放送信号を前記フィルタ手段を経由させて前記選局手段に伝達し、前記受信周波数が前記所定の閾値未満である場合に、受信された放送信号を前記フィルタ手段を経由させずに前記選局手段に伝達することとしてよい。
【００１８】
これにより、携帯通信機器は、受信するチャネルの周波数が所定の周波数以上である場合に、受信した放送信号をフィルタ手段を経由させて選局手段に伝達することができる。受信する周波数が高いということは、それだけ、無線信号の送信による影響を受けやすくなり、この場合には、フィルタ手段による受信信号の減衰よりも、無線信号の送信による影響の方が大きくなるので、フィルタ手段を通すことで無線信号の送信による影響を除去する。
【００１９】
また、前記伝達手段は、受信された放送信号を前記フィルタ手段を経由させて前記選局手段に伝達する第1経路と、受信された放送信号を前記フィルタ手段を経由させない前記選局手段に伝達する第2経路とを切り替えるスイッチング回路を備えることとしてよい。
これにより、携帯電話機は、予め二つの経路を備え、トランジスタなどにより実現されるスイッチ回路などにより、受信した信号をフィルタ手段を経由させるか否かの機構を容易、且つ、安価に実現できる。
【発明を実施するための最良の形態】
【００２０】
以下、本発明に係る携帯通信機器の一実施形態である携帯電話機について図面を用いて説明する。
＜実施の形態１＞
＜構成＞
まず、本発明に係る携帯電話機１００の機能構成を図１を用いて説明する。図１は、携帯電話機１００の機能構成を示した機能ブロック図である。図１に示すように、携帯電話機１００は、通信部１１０と、通信用アンテナ１１１と、音声処理部１２０と、マイク１２１と、スピーカ１２２と、フィルタ１３０と、ＴＶ放送受信アンテナ１３１と、スイッチ１３２と、スイッチ１３３と、ワンセグ用ＴＶチューナ１３４と、表示部１４０と、操作部１５０と、記憶部１６０と、制御部１７０とを含んで構成される。
【００２１】
通信部１１０は、通信用アンテナ１１１から受け取った受信信号を受話音声信号及び受信データ信号に復調し、復調した受話音声信号や、受信データ信号を制御部１７０に出力する機能を有する。また、通信部１１０は、音声処理部１２０でＡ／Ｄ変換された送話音声信号、及び制御部１７０から与えられる電子メールなどの送信データ信号を変調し、通信用アンテナ１１１から出力する機能を有する。
【００２２】
音声処理部１２０は、通信部１１０から出力された受話音声信号をＤ／Ａ変換してスピーカ１２２に出力する機能と、マイク１２１から取得した送話音声信号をＡ／Ｄ変換し、変換された信号を制御部１７０に出力する機能を有する。また、制御部１７０からの伝達された音声信号、例えば、ワンセグ用ＴＶチューナから出力された受信した放送に係る音声をスピーカ１２２から出力する機能も有する。
【００２３】
フィルタ１３０は、通信用アンテナ１１１から送信される無線信号の周波数帯域の信号を抑制する機能を有するフィルタである。フィルタ１３０は、例えば、ローパスフィルタにより実現される。
スイッチ１３２とスイッチ１３３とは、制御部１７０からの指示により切り替わるスイッチであり、例えばトランジスタ素子により実現される。トランジスタ素子は制御部１７０から制御用電流の供給を受けるか否かで、スイッチのＯＮ、ＯＦＦを切り替える。制御部１７０からの指示がない限りは、スイッチ１３２とスイッチ１３３とは、図１に示すようにフィルタ１３０を経由しない側の経路との接続状態を保ち、ＴＶ放送受信アンテナ１３１で受信した信号をワンセグ用ＴＶチューナ１３４に伝達させる。そして制御部１７０からの指示があった場合に、スイッチ１３２とスイッチ１３３とは、接続端子をフィルタ１３０を経由する側の経路に切り替えて、ＴＶ放送受信アンテナ１３１で受信した信号をフィルタ１３０を経由させてワンセグ用ＴＶチューナ１３４を介して伝達させる。なお、以下において、スイッチ１３２とスイッチ１３３とをフィルタ１３０を経由する側の経路への接続に切り替えることを、「スイッチをＯＮにする」と記載し、スイッチ１３２とスイッチ１３３とをフィルタ１３０側を経由しない側の経路への接続に切り替えることを、「スイッチをＯＦＦにする」と記載する。
【００２４】
ワンセグ用ＴＶチューナ１３４は、制御部１７０から指定された特定のチャネルの信号をスイッチ１３３から伝達された放送信号から抽出し、復調し、制御部１７０に出力する機能を有する。ワンセグ用ＴＶチューナ１３４の詳細については後述する。
表示部１４０は、ＬＣＤ（Liquid Crystal Display）などによって実現されるディスプレイを含み、制御部１７０の指示による画像をディスプレイに表示する機能を有する。例えば、ワンセグ用ＴＶチューナ１３４から出力されたＴＶ放送の信号に係る画像を表示する機能を有する。
【００２５】
操作部１５０は、テンキー群、オンフックキー、オフフックキー、方向キー、決定キー、メールキーなどを含み、ユーザの操作を受け付け、受け付けた操作内容を制御部１７０に伝達する機能を有する。受け付ける操作内容としては、例えば、ユーザが視聴したいＴＶ放送のチャネルの指定などがある。
記憶部１６０は、ＲＯＭ（Read Only Memory）、ＲＡＭ（Random Access Memory）を含んで構成され、小型ハードディスクや不揮発性メモリなどによって実現される。記憶部１６０は、携帯電話機１００の動作上必要な各種データやプログラムの他、音楽データや画像データなどを記憶する機能を有する。
【００２６】
制御部１７０は、携帯電話機１００の各部を制御する機能を有する。また、制御部１７０は、通信部１１０に対して無線信号を送信する場合に、スイッチ１３２とスイッチ１３３をＯＮにする機能を有する。そして、制御部１７０は、無線信号を送信しない場合には、スイッチ１３２とスイッチ１３３とをＯＦＦにする機能を有する。
以上が、携帯電話機１００の各部の機能である。
【００２７】
続いて、ワンセグ用ＴＶチューナ１３４について説明する。ワンセグ用ＴＶチューナ１３４は、従来からあるＴＶチューナと基本的に同様の構成と機能を有する。
図２は、ワンセグ用チューナ１３４の内部構成を示した機能ブロック図である。図２に示すように、ワンセグ用ＴＶチューナ１３４は、チューナ制御部２００と、ＲＦ（Radio frequency）部２０１と、ＡＤＣ（Analog Digital Converter）２０２と、ＦＦＴ（Fast Fourier Transform）２０３と、復号部２０４と、ＤＡＣ（Digital Analog Converter）２０５とを含んで構成される。
【００２８】
チューナ制御部２００は、ワンセグ用ＴＶチューナ１３４のシステム制御を行う機能を有する。チューナ制御部２００は、ＲＦ部２０１に対して、ＡＧＣ（Automatic Gain Control）の設定と周波数の設定とを行う機能を有する。また、チューナ制御部２００は、ＦＦＴ２０３に対して、ガードインターバルの範囲内において、ＦＦＴ解析区間の位置を調整する機能を有する。
【００２９】
ＲＦ部２０１は、チューナ制御部２００により設定されたＡＧＣと周波数の設定に基づいて物理チャネルを選択する。そしてＲＦ部２０１は、信号増幅を行って、ＡＤＣ２０２にベースバンド信号を出力する機能を有する。
ＡＤＣ２０２は、ＲＦ部２０１から受け取ったベースバンド信号を、アナログ信号からデジタル信号に変換してデジタルベースバンド信号をＦＦＴ２０３に出力する機能を有する。
【００３０】
ＦＦＴ２０３は、チューナ制御部２００に設定されたＦＦＴ窓位置に基づいて、ＡＤＣ２０３から出力されてきたデジタルベースバンド信号を復調してストリーム信号に変換する機能を有する。
復号部２０４は、ＦＦＴ２０３から出力されてきたストリーム信号をＭＰＥＧ２復号し、デジタルビデオ信号を出力する機能を有する。
【００３１】
ＤＡＣ２０５は、復号部２０４から出力されてきたデジタルビデオ信号をアナログ変換し、制御部１７０に対して出力する機能を有する。
ＲＦ部２０１、ＡＤＣ２０２、ＦＦＴ２０３、復号部２０４、ＤＡＣ２０５を経て、ワンセグ用ＴＶチューナ１３４に入力された信号から、所望のチャネルの信号が復号されて出力される。そして、表示部１４０で画像を表示され、音声処理部１２０のスピーカ１２２から音声が出力される。
【００３２】
次いで、ＲＦ部２０１について、説明する。
図３は、ＲＦ部２０１の機能構成を示した機能ブロック図である。図３に示すように、ＲＦ部２０１は、ＢＰＦ（Band Pass Filter）３０１と、ＬＮＡ（Low Noise Amplifier）３０２と、ＭＩＸ（MIXer）３０３と、ＬＰＦ（Low Pass Filter）と、ＡＭＰ（AMPlifier）３０５と、ＶＣＯ（Voltage Controlled Oscillator）３０６と、ＰＬＬ（Phase Locked Loop）３０７とを含んで構成される。
【００３３】
ＢＰＦ３０１は、地上デジタル放送以外の信号を取り除く機能を有する。
ＬＮＡ３０２は、ＲＦ信号を低雑音で増幅する機能を有する。増幅度は、チューナ制御部２００により設定されるＡＧＣにより決定される。
ＭＩＸ３０３は、特定の物理チャネルだけを増幅する機能を有する。具体的には、ＬＮＡ３０２から出力された信号と、ＶＣＯ３０３から出力された信号とを合成しえられた信号をＬＰＦ３０４に出力する機能を有する。
【００３４】
ＬＰＦ３０４は、ＭＩＸ３０３から出力された信号から不要な物理チャネルの信号を除去する機能を有する。
ＡＭＰ３０５は、ＡＤＣ２０２に入力可能な電圧まで増幅する機能を有する。
ＶＣＯ３０６は、特定の物理チャネルを発生する機能を有する周波数発生器である。
ＰＬＬ３０７は、チューナ制御部２００から指定された周波数に基づいて、ＶＣＯ３０６が発生させる周波数を設定し、その周波数を一定に保つための周波数制御の機能を有する。
【００３５】
ＢＰＦ３０１、ＬＮＡ３０２、ＭＩＸ３０３、ＬＰＦ３０４、ＡＭＰ３０５の各部を経て、入力された信号から所望のチャネルの信号部分が抽出、増幅されてＲＦ部２０１からＡＤＣ２０２に出力される。
以上が、携帯電話機１００の各部の説明である。従来においては、図６に示したように受信したＴＶ放送の放送信号を必ずフィルタを通過させていた。しかし、本実施の形態においては、ＴＶ放送の放送信号がフィルタ１３０を通過する経路と通過しない経路とを設けている。そして、携帯電話機１００は、放送信号を、無線信号を送信するタイミングにおいてスイッチを切り替えてフィルタ１３０を通過させ、無線信号を送信しないタイミングではフィルタ１３０を通過させない仕様になっている。これにより、フィルタ１３０が必要なＴＶ放送の放送信号を抑制することをなるべく抑えることができる。
＜動作＞
では、本実施の形態の携帯電話機１００の動作を図４に示すフローチャートを用いて説明する。
【００３６】
まず、操作部１５０でユーザからＴＶ放送の表示の操作を受け付けた携帯電話機の制御部１７０は、ＤＴＶ（Digital TV）の受信を開始する（ステップＳ４０１）。
制御部１７０は、操作部１５０から伝達された入力内容に基づき、受信チャネルをワンセグ用ＴＶチューナ１３４に伝達し、ワンセグ用ＴＶチューナ１３４は受信チャネルを設定する（ステップＳ４０３）。
【００３７】
そして、その後に制御部１７０は、例えば基地局からビーコン信号に対する応答信号を無線送信する場合などに、ＣＤＭＡ送信回路を起動する場合（ステップＳ４０５のＹＥＳ）、スイッチ１３２とスイッチ１３３をＯＮにする（ステップＳ４０７）。すると、受信されたＴＶ放送の放送信号はフィルタ１３０を経由する。これにより、無線信号を送信することにより発生する影響を抑制することができる。
【００３８】
制御部１７０は、送信すべき無線信号を送信した後に、通信部１１０のＣＤＭＡ送信回路をＯＦＦにする指示を出力し、通信部１１０はＣＤＭＡ送信回路をＯＦＦにする（ステップＳ４０９のＹＥＳ）。なお、無線信号の送信を続けている間は（ステップＳ４０９のＮＯ）、スイッチ１３２とスイッチ１３３はＯＮの状態になっている。
通信部１１０に対し、ＣＤＭＡ回路をＯＦＦにする指示を出力した後、制御部１７０は、スイッチ１３２とスイッチ１３３とをＯＦＦにする（ステップＳ４１１）。
【００３９】
以下、ステップＳ４０５から、ステップＳ４１１にかけての動作は、デジタルテレビの受信中は繰り返される。
上記動作を実行することにより、携帯電話機は、従来のように、無線信号を送信していないときでもフィルタ１３０を経由させることがないので、必要以上にＴＶ放送の受信信号を抑制することなく、チューナは放送を復調できる。
＜実施の形態２＞
上記実施の形態１においては、単純に携帯電話機１００は、無線信号を送信するときに、受信したＴＶ放送の信号をフィルタ１３０を通過させてワンセグ用ＴＶチューナに供給することとした。本実施の形態においては、単純に無線信号を送信する場合にフィルタ１３０を通過させるのではなく、そこに各種の条件を加味してもよいことを示す。なお、本実施の形態においては、実施の形態１と異なる部分について記載し、共通する部分については、省略若しくは簡略化する。
＜構成＞
まず、携帯電話機１００の機能について、実施の形態１に追加される機能について説明する。
【００４０】
アンテナ１３１は、受信した信号の受信強度を検出するための検出部を含み、検出した受信強度を制御部１７０に伝達する機能を有する。
記憶部１６０は、予め、無線信号を送信する際の出力レベルと比較するための出力レベル閾値と、受信した放送信号の受信強度と比較するための受信強度閾値と、受信するＴＶチャネルの中心周波数と比較するための受信周波数閾値と、無線信号を送信するのに用いる周波数と比較するための送信周波数閾値とを記憶している。
【００４１】
制御部１７０は、アンテナ１３１から伝達された受信強度と、記憶部１６０が記憶している受信強度閾値との大小を比較する機能を有する。制御部１７０は、通信部１１０に対して伝達する信号送信の出力レベルを決定し、その出力レベルと出力レベル閾値との大小を比較する機能を有する。制御部１７０は、操作部１５０から伝達された受信チャネルの周波数と、受信周波数閾値との大小を比較する機能を有する。制御部１７０は、無線信号の送信を実行する周波数を決定し、当該周波数と送信周波数閾値との大小を比較する機能を有する。
【００４２】
そして、制御部１７０は、ＴＶ放送を受信チャネルの周波数が所定の閾値以上で受信しており、その受信強度が所定の受信レベル未満の場合において、無線信号の送信を、所定の周波数未満の周波数で、かつ、所定の送信レベル以上で、実行する場合に、スイッチ１３２とスイッチ１３３とをＯＮにする機能を有する。
ここで、各閾値の定め方について説明しておく。各閾値は、携帯電話機１００の筐体のどこに、通信用アンテナ１１１とＴＶ放送受信用アンテナ１３１とを配置するかによって異なってくる。
【００４３】
そこで、携帯電話機１００の実器に相当する機器を作成し、当該実機で、ＴＶ放送を受信し、無線信号を送信しているときと、していないときとで、ＴＶ放送の受信信号を比較し、影響のあるなしを検出する。
例えば、出力レベルの閾値については、最低レベルの出力レベルから出力レベルを漸次上げていく。そして、ＴＶ放送の受信信号に対して影響を与えて、信号を復号して、表示するのに差しさわりが出るレベルを、例えば表示されている画像の状態を目視するなどして検出する。検出した当該レベルを出力レベル閾値として記憶部１６０に設定する。
【００４４】
受信強度閾値については、同様に、受信した放送信号が無線信号の送信の影響を受けるかどうかを、受信した受信強度ごとに調べる。そして、無線信号の送信の影響を受けたとしても放送信号を復号できる受信強度を検出し、受信強度閾値として記憶部１６０に設定する。
受信周波数閾値については、ＴＶ放送の各種のチャネルを受信し、その時に無線信号を送信して、無線信号の送信による影響がでるチャネルを検出し、受信周波数閾値として記憶部１６０に設定する。
【００４５】
送信周波数閾値についても、ＴＶ放送を受信し、その時に無線信号の送信を各種の周波数で実行する。そして、無線信号の送信の影響がでる送信周波数を検出し、送信周波数閾値として記憶部１６０に設定する。
＜動作＞
では、実施の形態２における携帯電話機１００の動作を、図５に示したフローチャートを用いて説明する。なお、図５に示したフローチャートにおいて、図４に示したフローチャートと同様の内容である場合には、図４に示したステップ番号と同じステップ番号を付している。
【００４６】
まず、操作部１５０でユーザからＴＶ放送の表示の操作を受け付けた携帯電話機の制御部１７０は、ＤＴＶ（Digital TV）の放送信号の受信を開始する（ステップＳ４０１）。
制御部１７０は、操作部１５０から伝達された入力内容に基づき、受信チャネルをワンセグ用ＴＶチューナ１３４に伝達し、ワンセグ用ＴＶチューナ１３４は受信チャネルを設定する（ステップＳ４０３）。
【００４７】
そして制御部１７０は、受信チャネルの周波数が記憶部１６０に設定されている受信周波数閾値以上かどうかを判断する（ステップＳ５０１）。
受信チャネルの周波数が受信周波数閾値以上である場合には（ステップＳ５０１のＹＥＳ）、制御部１７０は次に、無線信号を送信する場合に用いる周波数が記憶部１６０に記憶されている送信周波数閾値未満であるかどうかを判定する（ステップＳ５０３）。
【００４８】
無線信号の送信に用いる周波数が送信周波数閾値未満である場合には（ステップＳ５０３）、制御部１７０は、ＴＶ放送受信アンテナ１３１で受信している信号の受信強度が記憶部１６０に記憶されている受信強度閾値以上かどうかを判断する（ステップＳ５０５）。
受信しているＴＶ放送の受信信号の受信強度が受信強度未満である場合に（ステップＳ５０５のＹＥＳ）、制御部１７０は、無線信号を送信するのに用いる送信電力が記憶部１６０に記憶されている出力レベル閾値以上であるかどうかを判定する（ステップＳ５０７）。
【００４９】
そして、制御部１７０は、通信部１１０に対してＣＤＭＡ送信回路をＯＮにする指示を出し、無線信号の送信を指示した場合に、それと同時に、スイッチ１３２とスイッチ１３３とをＯＮにする（ステップＳ４０７）。すると、受信されたＴＶ放送の放送信号はフィルタ１３０を経由し、無線信号を送信することにより発生する妨害波を抑制することができる。
【００５０】
制御部１７０は、送信すべき無線信号を送信した後に、通信部１１０のＣＤＭＡ送信回路をＯＦＦにする指示を出力し、通信部１１０はＣＤＭＡ送信回路をＯＦＦにする（ステップＳ４０９のＹＥＳ）。なお、無線信号の送信を続けている間は（ステップＳ４０９のＮＯ）、スイッチ１３２とスイッチ１３４はＯＮの状態になっている。
通信部１１０に対し、ＣＤＭＡ回路をＯＦＦにする指示を出力した後、制御部１７０は、スイッチ１３２とスイッチ１３３とをＯＦＦにする（ステップＳ４１１）。
【００５１】
以下、ステップＳ４０５から、ステップＳ４１１にかけての動作は、デジタルテレビの受信中は繰り返される。
以上、本実施の形態においては、無線信号を送信する場合においても、フィルタを通過させる場合と通過させない場合の条件づけを行うことを示した。
＜補足＞
上記実施の形態において、本発明の実施の手法について説明してきたが、本発明がこれに限られないことは勿論である。以下、上記実施の形態以外に本発明の思想として含まれる各種の変形例について説明する。
（１）本発明は、上記実施の形態において示したＴＶ放送の受信方法であってもよく、また、この受信方法を実現するために携帯電話機に搭載されるコンピュータに読み込まれ実行されるコンピュータプログラムであってもよい。
【００５２】
また、本発明は、当該コンピュータプログラムが記憶されたＦＤ（Flexible Disc）、ＭＤ（Magneto-optical Disc）、ＣＤ（Compact Disc）、ＢＤ（Blu-ray Disc）などの記録媒体であってもよい。
（２）上記実施の形態２においては、複数の条件を設けて、全ての条件をクリアした場合に、スイッチをＯＮにする構成としたが、この条件設定はこれらの条件のうち１つだけであってもよく、また、これらの複数の条件のうちの２つだけであってもよい。
【００５３】
例えば、制御部１７０は、無線信号を送信する場合の送信レベルが所定閾値以上という条件を満たすだけでスイッチ１３２とスイッチ１３３とをＯＮにする構成であってもよいし、送信周波数が所定閾値未満で受信周波数が所定閾値以上であるという条件を満たす場合に、スイッチ１３２とスイッチ１３３とをＯＮにする構成としてもよい。
（３）上記実施の形態においては、ＴＶチューナとしては、ワンセグ用ＴＶチューナを例に説明しているが、これはワンセグ用に限定するものではなく、ハイビジョン対応のＴＶチューナであってもよい。
（４）上記実施の形態においては、放送信号として、ＴＶ放送を例に示したが、これはＴＶ放送の放送信号に限定するものではなく、例えば、ラジオ放送などであってもよい。
（５）上記実施の形態においては、携帯通信機器として携帯電話機を例に説明したが、これは携帯電話機に限定するものではなく、放送を受信し、また他の機器と通信を実行できる機器であればよく、例えば、放送を受信する機能と、他の機器と通信を実行できるＰＤＡ（Personal Digital Assistants）などであってもよい。
（６）上記実施の形態においては、フィルタ１３０としてローパスフィルタを一例に上げたが、これはローパスフィルタに限定するものではなく、無線信号の周波数の信号を抑制できるものであればよく、例えばＢＰＦや、トラップフィルタなどであってもよい。
【産業上の利用可能性】
【００５４】
本発明に係る携帯電話機は、自機で無線信号の送信を実行してもＴＶ放送の受信の妨げとならない携帯電話機として活用することができる。
【図面の簡単な説明】
【００５５】
【図１】携帯電話機１００の機能構成を示した機能ブロック図である。
【図２】ワンセグ用ＴＶチューナ１３４の機能構成を示した機能ブロック図である。
【図３】ＲＦ部２０１の機能構成を示した機能ブロック図である。
【図４】実施の形態１に係る携帯電話機１００の動作を示したフローチャートである。
【図５】実施の形態２に係る携帯電話機１００の動作を示したフローチャートである。
【図６】従来の携帯電話機６００の機能構成を示した機能ブロック図である。
【図７】地上デジタル放送とＣＤＭＡ通信に用いる周波数帯域を模式的に示した図である。
【図８】ＴＶ放送の受信信号が、フィルタにより減衰することを模式的に示したグラフである。
【符号の説明】
【００５６】
１００  携帯電話機
１１０  通信部
１１１  通信用アンテナ
１２０  音声処理部
１２１  マイク
１２２  スピーカ
１３０  フィルタ
１３１  ＴＶ放送受信アンテナ
１３２、１３３  スイッチ
１３４  ワンセグ用ＴＶチューナ
１４０  表示部
１５０  操作部
１６０  記憶部
１７０  制御部
２００  チューナ制御部
２０１  ＲＦ部
２０２  ＡＤＣ
２０３  ＦＦＴ
２０４  復号部
２０５  ＤＡＣ
３０１  ＢＰＦ
３０２  ＬＮＡ
３０３  ＭＩＸ
３０４  ＬＰＦ
３０５  ＡＭＰ
３０６  ＶＣＯ
２０７  ＰＬＬ
【図１】
2008252658.tif 000003
【図２】
2008252658.tif 000004
【図３】
2008252658.tif 000005
【図４】
2008252658.tif 000006
【図５】
2008252658.tif 000007
【図６】
2008252658.tif 000008
【図７】
2008252658.tif 000009
【図８】
2008252658.tif 000010